(57)【要約】【課題】電子機器の筺体を大型化することなく、簡単にヒューズ抜き工具を取り出すことができるヒューズ抜き工具の収納構造、及び該ヒューズ抜き工具の収納構造を備えた火災受信機を得る。【解決手段】本発明に係るヒューズ抜き工具収納構造１は、ヒューズ抜き工具５のアーム部５ａが載置される載置部２１と、載置部２１から縦方向に立ち上がる壁部としてのバッテリー載置台１３の側壁面１３ａと、バッテリー載置台１３の側壁面１３ａの一端側に設けられてヒューズ抜き工具５における一端側を両側から挟持する挟持片２３と、バッテリー載置台１３の壁部の側壁面１３ａの他端側に設けられて筺体３の奥行き方向に凹む凹陥部２５と、バッテリー載置台１３の壁部の側壁面１３ａの凹陥部２５側に設けられてヒューズ抜き工具５のアーム部５ａを係止する第２係止片２７とを備えてなることを特徴とするものである。【選択図】  図１
2014067221.tif 000002
【特許請求の範囲】
【請求項１】
相対向するように配置され基端側が結合された一対のアーム部からなり、該アーム部の先端側にヒューズを把持する把持部が設けられたヒューズ抜き工具を、電気機器の筺体内に収納するヒューズ抜き工具収納構造であって、
前記ヒューズ抜き工具の前記アーム部が載置される載置部と、該載置部から縦方向に立ち上がる壁部と、該壁部の一端側に設けられて前記ヒューズ抜き工具における一端側に係止する第１係止片と、前記壁部の他端側に設けられて前記筺体の奥行き方向に凹む凹陥部と、前記壁部の前記凹陥部側に設けられて前記ヒューズ抜き工具のアーム部を係止する第２係止片とを備えてなることを特徴とするヒューズ抜き工具収納構造。
【請求項２】
前記ヒューズ抜き工具を収納した状態で、前記ヒューズ抜き工具における前記アーム部軸方向への移動を規制する位置規制部を設けたことを特徴とする請求項１記載のヒューズ抜き工具収納構造。
【請求項３】
請求項１又は２に記載のヒューズ抜き工具収納構造を有することを特徴とする火災受信機。
【発明の詳細な説明】
【技術分野】
【０００１】
本発明は、電気機器の筺体内にヒューズ抜き工具を収納するヒューズ抜き工具収納構造及び該ヒューズ抜き工具収納構造を備えた火災受信機に関する。
【背景技術】
【０００２】
ヒューズが使用されている電気機器において、ヒューズ交換には、例えば特許文献１に開示されたようなヒューズ抜き工具（ヒューズプラー）が使用される。
このような、ヒューズ抜き工具は、電気機器の筺体内に収納されることがある。
【先行技術文献】
【特許文献】
【０００３】
【特許文献１】特開平９−１５５７６７号公報
【発明の概要】
【発明が解決しようとする課題】
【０００４】
ヒューズ抜き工具は、ピンセットに似た形状をしており、筺体内には横置きにして収納されるのが一般的である。
横置きにしたヒューズ抜き工具を取り出す際には、手指で摘む必要がある。
しかしながら、種々の電子部品やバッテリー等が設置されている電気機器の筺体内には十分なスペースがなく、ヒューズ抜き工具を摘む際に手指が隙間に入りにくく、ヒューズ抜き工具を取り出しにくいという問題がある。
換言すれば、ヒューズ抜き工具の取り出しを容易にするため、手指の入るスペースを確保しようとすると筺体が大きくなってしまうという問題があった。
【０００５】
本発明は、かかる問題点を解決するためになされたものであり、電子機器の筺体を大型化することなく、簡単にヒューズ抜き工具を取り出すことができるヒューズ抜き工具の収納構造、及び該ヒューズ抜き工具の収納構造を備えた火災受信機を得ることを目的としている。
【課題を解決するための手段】
【０００６】
（１）本発明に係るヒューズ抜き工具収納構造は、相対向するように配置され基端側が結合された一対のアーム部からなり、該アーム部の先端側にヒューズを把持する把持部が設けられたヒューズ抜き工具を、電気機器の筺体内に収納するヒューズ抜き工具収納構造であって、
前記ヒューズ抜き工具の前記アーム部が載置される載置部と、該載置部から縦方向に立ち上がる壁部と、該壁部の一端側に設けられて前記ヒューズ抜き工具における一端側に係止する第１係止片と、前記壁部の他端側に設けられて前記筺体の奥行き方向に凹む凹陥部と、前記壁部の前記凹陥部側に設けられて前記ヒューズ抜き工具のアーム部を係止する第２係止片とを備えてなることを特徴とするものである。
【０００７】
（２）また、上記（１）に記載のものにおいて、前記ヒューズ抜き工具を収納した状態で、前記ヒューズ抜き工具における前記アーム部軸方向への移動を規制する位置規制部を設けたことを特徴とするものである。
【０００８】
（３）また、上記（１）又は（２）に記載のヒューズ抜き工具収納構造を有することを特徴とする火災受信機。
【発明の効果】
【０００９】
本発明においては、壁部のヒューズ抜き工具の一端側に凹陥部が設けられているため、指先等の細いものの先端でヒューズ抜き工具の前記一端側を筐体の奥行き方向に押すことにより、ヒューズ抜き工具の押された一端を凹陥部に挿入させると共に、てこの原理でヒューズ抜き工具の他端を筐体の手前方向にはね上げることができる。こうすることによって容易にヒューズ抜き工具を取り出すことができ作業性に優れる。
【図面の簡単な説明】
【００１０】
【図１】本発明の一実施の形態に係るヒューズ抜き工具収納構造を備えた火災受信機の筐体の斜視図である。
【図２】図１の火災受信機の筐体の正面図である。
【図３】本発明の一実施の形態に係るヒューズ抜き工具収納構造の収納対象としてのヒューズ抜き工具の斜視図である。
【図４】本発明の一実施の形態に係るヒューズ抜き工具収納構造について説明する説明図である。
【図５】本発明の一実施の形態に係るヒューズ抜き工具収納構造にヒューズ抜き工具を収納した状態について説明する説明図である。
【図６】本発明の一実施の形態に係るヒューズ抜き工具収納構造に収納されたヒューズ抜き工具の取り出し方について説明する説明図である。
【図７】本発明の一実施の形態に係るヒューズ抜き工具収納構造へのヒューズ抜き工具の収納方法について説明する説明図である。
【発明を実施するための形態】
【００１１】
本発明の一実施の形態に係るヒューズ抜き工具収納構造１は、火災受信機の筺体３内に収納するヒューズ抜き工具５の収納構造であるので、まず火災受信機の筺体３およびヒューズ抜き工具５について説明する。
【００１２】
＜筐体＞
筺体３は底浅の有底枠体からなり、図１および図２に示すように底部３ａを立てた状態で使用される。使用時には筺体３の開口部は図示しない蓋体によって覆われる。
筺体３の図１中右下の部分には、図示しない直方体状のバッテリーを収納するバッテリー収納部１１が設けられている。バッテリー収納部１１は、筺体３の下側の枠部３ｂの内面に添うよう設けられた直方体状の台からなり、該台の上面にバッテリーが載置されるバッテリー載置台１３と、バッテリー載置台１３の側壁面１３ａから筺体３の開口部側に突き出す棒状からなり、バッテリーを支持する２本のバッテリー保持腕１５とを有している。各バッテリー保持腕１５の先端部には上方に向かって曲がるフック部１５ａが設けられており、バッテリーを支持した状態でバッテリーが開口部側に移動しないように保持可能になっている。
【００１３】
正面視で左側のバッテリー保持腕１５の右側近傍には直方体状の小さなブロック片からなるブロック片部１７が形成されている。
バッテリー載置台１３の筐体３の底部３ａからの高さは、筺体３の枠部３ｂの高さよりも低く設定されており、バッテリー収納部１１にバッテリーが収納されると、ブロック片部１７と図１における右側のバッテリー保持腕１５との間に、上下がバッテリーの底面と筺体３の枠部３ｂとにはさまれて、前後がバッテリー載置台１３の側壁面１３ａと図示しない蓋体とに囲まれた狭いスペースができるようになっている。火災受信機はこのようにしてできる前記スペースに、バッテリー載置台１３の側壁面１３ａに添うようにして、後述するヒューズ抜き工具５を収納するヒューズ抜き工具収納構造１を備えている。つまり、バッテリー収納部１１に近接してヒューズ抜き工具収納構造１が設けられている（図１および図２中の楕円Ｃで囲んだ部分を参照）。
【００１４】
＜ヒューズ抜き工具＞
次に、ヒューズ抜き工具５について説明する。ヒューズ抜き工具５は、図３に示すように、ピンセットに似た形状をしており、より具体的には相対向するように配置され基端側が結合された一対のアーム部５ａからなり、該アーム部５ａの先端側にヒューズを把持する把持部５ｂが設けられている。
【００１５】
＜ヒューズ抜き工具収納構造＞
以上のことを踏まえてヒューズ抜き工具収納構造１について図１、図２、図４および図５に基づいて説明する。図４（ａ）はヒューズ抜き工具が収納されていない状態を正面から見た図であり、図４（ｂ）は図４（ａ）中のＡ−Ａ矢視断面図である。図５（ａ）はヒューズ抜き工具５が収納されている状態を正面から見た図である。図５（ｂ）は図５（ａ）中のＢ−Ｂ矢視断面図である。
【００１６】
本実施の形態に係るヒューズ抜き工具収納構造１は、図１、図２、図４および図５に示すように、板状からなりヒューズ抜き工具５のアーム部５ａが載置される載置部２１と、載置部２１から縦方向に立ち上がる壁部としてのバッテリー載置台１３の側壁面１３ａと、該側壁面１３ａの一端側に設けられてヒューズ抜き工具５における一端側（例えば、基端側）を両側から挟持する挟持片２３（本発明の第１係止片に相当）と、側壁面１３ａの他端側に設けられて筺体３の奥行き方向に凹むと共にヒューズ抜き工具５における把持部５ｂが挿入可能な凹陥部２５と、側壁面１３ａの凹陥部２５側に設けられてヒューズ抜き工具５のアーム部５ａを係止する第２係止片２７と、ヒューズ抜き工具５を収納した状態で、ヒューズ抜き工具５におけるアーム部５ａ軸方向への移動を規制する位置規制部２９を備えている。位置規制部２９は、正面視における凹陥部２５の右側方向の壁部を手前方向に延出されて設けられている。
【００１７】
本実施の形態に係るヒューズ抜き工具収納構造１は、上述したようにバッテリー載置台１３の側壁面１３ａ（本発明における壁部に相当）に設けられている。すなわち、載置部２１はバッテリー載置台１３の側壁面１３ａから横方向（筺体３の開口側）に延び出すようにして設けられている。
バッテリー載置台１３の側壁面１３ａには、図４（ａ）に示すように、ヒューズ抜き工具５の収納状態の形状を示す形状１４が形成されており、ヒューズ抜き工具５が収納されていない状態において、作業者はヒューズ抜き工具５をどのように収納すればよいかを直感的に把握することができるようになっている。
【００１８】
挟持片２３の先端部には、ヒューズ抜き工具５を収納した状態で、ヒューズ抜き工具５が筺体３の手前方向に移動しないように、ヒューズ抜き工具５の幅方向内側に向けてわずかに突出する小片からなる係止部２３ａが設けられている。
挟持片２３は、ヒューズ抜き工具５を収納した状態で、ヒューズ抜き工具５の基端側に対して筺体３の手前方向に力がかかると、挟持片２３がヒューズ抜き工具５の幅方向外側にわずかに撓んで、ヒューズ抜き工具５が挟持片２３の係止部２３ａを乗り越えられるようなっている。
【００１９】
ヒューズ抜き工具５は、ブロック片部１７の縦壁にヒューズ抜き工具５の基端側が位置するように収納される。位置規制部２９の位置は、ヒューズ抜き工具５を収納した状態で、ヒューズ抜き工具５の把持部５ｂに近接するように設定されている。それ故、ヒューズ抜き工具５は壁部（ブロック片部１７の縦壁）と位置規制部２９によってヒューズ抜き工具５がアーム部５ａ軸方向へ移動するを規制することができる。つまり、ブロック片部１７の縦壁もヒューズ抜き工具５の位置規制部としての作用を有している。
【００２０】
ヒューズ抜き工具５の収納状態について図１、図２および図５に基づいて説明する。ヒューズ抜き工具５は、図５に示すように、載置部２１の上面に、バッテリー載置台１３の側壁面１３ａに添うように載置されている。ヒューズ抜き工具５の基端側は、ヒューズ抜き工具５の幅方向両側から挟持片２３によって挟持されており、挟持片２３の係止部２３ａによってヒューズ抜き工具５が筺体３の手前方向に移動しないように係止されている。また、ヒューズ抜き工具５の把持部５ｂ側は、下方に折れ曲がるフックからなる第２係止片２７によって、側壁面１３ａとの間で係止されており、挟持片２３と同様にヒューズ抜き工具５を手前方向に移動させないようにする役割を担っている。なお、第２係止片２７のフックは、挟持片２３の係止部２３ａの突出する小片よりも大きく形成されているので、上側に撓ませてもヒューズ抜き工具５が第２係止片２７を乗り越えて手前方向に移動しづらくなっている。そのため、ヒューズ抜き工具５を取り出すには後述するように把持部５ｂを押すしかなく、引っ張って取ることは難しくなっている。つまり、ヒューズ抜き工具５は、衝撃等で落下しづらい状態で収容されていると共に、一定の手順を踏むことで容易に取り外すことができる。
【００２１】
以上のように構成された本実施のヒューズ抜き工具収納構造１におけるヒューズ抜き工具５の取外し方法について図５および図６に基づいて説明する。
まず、図５（ｂ）中の矢印で示すようにヒューズ抜き工具５の把持部５ｂを指先やドライバ等の先端で筺体３の奥行き方向に押圧する。すると、図６に示すように凹陥部２５にヒューズ抜き工具５の把持部５ｂが挿入されるとともに、ヒューズ抜き工具５が当接している凹陥部２５の縁部２５ａを支点にして、てこの原理でヒューズ抜き工具５の基端側が挟持片２３の係止部２３ａを乗り越えてはね上がる。
はね上がった基端側を手指で摘むことでヒューズ抜き工具５を取外すことができる。
【００２２】
ヒューズ抜き工具５の取付け方法は、取外し方法の逆の方法で行う。まず、ヒューズ抜き工具５の把持部５ｂを、凹陥部２５の縁部２５ａと第２係止片２７との間を通して、把持部５ｂを凹陥部２５に斜めから挿入する。次に、ヒューズ抜き工具５の基端側を、指先等で筺体３の奥行き方向（図７中に示す矢印の方向）に押して、挟持片２３の係止部２３ａを乗り越えさせる。こうすることで、図５（ａ）に示す状態になり取付けが完了する。
【００２３】
以上のように、本実施の形態においては、壁部のヒューズ抜き工具５の把持部５ｂ側に凹陥部２５が設けられているため、指先等の細いものの先端でヒューズ抜き工具５の把持部５ｂを筺体３の奥行き方向に押すことにより、把持部５ｂを凹陥部２５に挿入させるとともに、ヒューズ抜き工具５と当接する凹陥部２５の縁部２５ａを支点にして、てこの原理でヒューズ抜き工具５の基端側を筺体３の手前方向に大きく出すことができる。こうすることによって基端側を手指で摘みやすくなり、ヒューズ抜き工具５を簡単に取り出すことができ、作業性に優れる。
【００２４】
また、このような構造にするには、把持部５ｂを筺体３の奥行方向に押すために指等が入るスペースがあればよく、指でヒューズ抜き工具５を摘んで取り出すための手指が入るスペースを設ける必要がない。従って、火災受信機の筺体３を大型化することなくヒューズ抜き工具５の収納構造を備えることが可能である。
【００２５】
なお、上記の説明では、ヒューズ抜き工具収納構造１を筺体３の下側の枠部３ｂに添うようにして設けた例を示したが、設ける場所はこれに限られず、例えば筺体３の上側あるいは左右の枠部３ｂに添うように設けてもよよい。
【００２６】
また、上記の説明では、ブロック片部１７の縦壁にヒューズ抜き工具５の基端側が位置するようにしたが、ブロック片部１７の縦壁の代わりに他の部材を利用するものであってもよい。例えば、筺体３の枠部３ｂを利用して位置規制部を設けるようにしてもよい。
【００２７】
また、ヒューズ抜き工具５は、バッテリー載置台１３の側壁面１３ａ（本発明における壁部）に対してヒューズ抜き工具５の幅方向が平行になるようにして載置する例（図５（ａ）参照）を示したが、他の態様としてヒューズ抜き工具５を軸回りに９０°回転させて、ヒューズ抜き工具５の幅方向がバッテリー載置台１３の側壁面１３ａに対して垂直になるように載置するようなものであってもよい。
【００２８】
また、上記の説明では、第１係止片の例として両側から挟持する挟持片２３として説明したが、どちらか一方にだけ（図５中おいては上側だけあるいは下側だけ）有するものであってもよい。
また、凹陥部２５は把持部５ｂを挿入可能なものとしたが、基端側が挿入可能なように凹陥部２５を設けてもよい。この場合、挟持片２３や第２係止片２７の位置は適宜変更する。
【符号の説明】
【００２９】
Ｃ  楕円
１  ヒューズ抜き工具収納構造
３  筺体
３ａ  底部
３ｂ  枠部
５  ヒューズ抜き工具
５ａ  アーム部
５ｂ  把持部
１１  バッテリー収納部
１３  バッテリー載置台
１３ａ  側壁面
１４  形状
１５  バッテリー保持腕
１５ａ  フック部
１７  ブロック片部
２１  載置部
２３  挟持片（第１係止片）
２３ａ  係止部
２５  凹陥部
２５ａ  縁部
２７  第２係止片
２９  位置規制部
【図１】
2014067221.tif 000003
【図２】
2014067221.tif 000004
【図３】
2014067221.tif 000005
【図４】
2014067221.tif 000006
【図５】
2014067221.tif 000007
【図６】
2014067221.tif 000008
【図７】
2014067221.tif 000009